(57)【要約】      （修正有）【課題】収容力の面からも製作費の面からも広く社会が採用可能な津波用の避難施設を提供する。【解決手段】木材あるいは鋼材で長方形のフレーム１と縦フレームをまず製作し、その底と周囲を板もしくは鋼板６で囲い、次にその底に重しとなるコンクリート７を打ちもしくは鋼材を敷き、その上に間伐材８を縦、横方向に周囲の板などまで隙間なく敷きつめ、その上に発泡プラスチック１１を敷きつめ、その上に甲板と手すり、を取りつけ、津波避難用フロート２０を構成する。【選択図】図１
2017122379.tif 000002
【特許請求の範囲】
【請求項１】
木材あるいは鋼材の長方形のフレームをまず製作し、
その底と周囲を板もしくは鋼板で囲い、
次にその底に重しとなるコンクリートを打ちもしくは鋼材を敷き、
その上に間伐材を縦、横方向にフレームに取りつけた板等まで隙間なく敷きつめ、
その上に発泡プラスチックを敷きつめ、
その上に甲板と手すり、
を取りつけた津波避難用フロート。
【請求項２】
間伐材は相互に直交するよう敷きつめた、
ことを特徴とする請求項１に記載の津波避難用フロート。
【請求項３】
間伐材を何層か敷きつめるとき、上下、左右の接触する部分に接着剤を塗り、
またはボルトやバンドで締結し、
全体を一体の合板とほぼ同様のものとする、
ことを特徴とする請求項２に記載の津波避難用フロート。
【請求項４】
間伐材を所定の位置まで何層か敷きつめた後、
柱または鋼材で間伐材全体を押え、
かつ両端をフレームに固定した、
ことを特徴とする請求項１に記載の津波避難用フロート。
【発明の詳細な説明】
【技術分野】
【０００１】  本発明は津波の避難用フロートに関する。
【背景技術】
【０００２】  従来からある津波用の避難施設としては大きくはタワー型のものと潜水艇型のフロートタイプのものがある。これらはいずれも建造費が一人当たり２０〜３０万円と高額であり、かつタワー型でもせいぜい２００〜３００人用、潜水艇型のフロータイプでは最大で収容力は５０人程度である。そのために実際の使用においては多数の人が殺到した場合、到底それに応じられない。製作費はタワー型で５０００〜６０００万円、潜水艇型で１０００万円前後である。
【発明の概要】
【発明が解決しようとする課題】
【０００３】  津波用の避難施設はそれが必要になるときには最低でも数百人、できれば１０００人規模の収容力が必要になるが、その条件のものは建造物の収容力からも製作費用からも合理的なものがないのが実情である。【０００４】  本発明は収容力の点からも製作費の点からも実用的な津波用の避難施設を提供することを目的とする。
【問題を解決するための手段】
【０００５】  前記目的を達成するために請求項１にかかる発明について、
木材あるいは鋼材の長方形のフレームをまず製作し、その底と周囲を板もしくは鋼板で囲い、次にその底に重しとなるコンクリートを打ち、もしくは鋼材を敷き、その上に間伐材を縦、横方向にフレームに取りつけた板等まで隙間なく敷きつめ、その上に発泡プラスチックを敷きつめ、その上に甲板と手すりを取りつけた津波避難用フロート。
【０００６】  津波避難用フロートは多数の人が乗れるには全体の浮力をかなり大きくする必要がある。と同時に、安定性の関係で重心を低くする必要がある。そのためには津波避難用フロートの底にかなりの重量の重りを取りつける必要がある。重りの重量を少なくするにはその取り付け位置をかなり海面から深い位置にする必要がある。
１０００人規模の津波避難用フロートは従来の船舶構造物では例えば幅１５メートル、長さ３０メートル、高さ５〜６メートルのかなり頑丈な鋼鉄製の構造物の底に鋼材を取りつけたものとなる。そのため建造費は高額となり、かつ設置場所は津波用に避難設備のために海岸から数百メートル内陸となる。これは大型の鋼鉄製の台船を海岸からかなり内側に据えつけることであり、設置は容易ではない。
これに対し本発明の津波避難用フロートは木材または鋼材でフレームを設置場所で組み立て、その外周を木材または鋼板で囲い、その底にまずコンクリートを打ち、あるいは鋼材を取りつけて重しとし、その上に間伐材を相互に直交するように何層も敷きつめ、その上に発泡プラスチックを敷きつめて、その上に甲板を取りつけることで十分使用に耐えるものが建造できる。特に造船の技術は必要としない。
この寸法は上記の１０００人用の船舶構造物との比較では同じ寸法でも重しの重量はかなり軽くすることが可能である。それは間伐材が重りの役割も兼ねるためである。
【０００７】  また請求項２に係る発明について、間伐材は相互に直交するよう敷きつめた津波避難用フロート。
【０００８】  これにより本発明の津波避難用フロートは発泡プラスチックよりもかなり割安な間伐材で浮力を得ると同時に、重心の位置を下げることができ、かつ構造的に極めて強固なものとなる。
【０００９】  また請求項３に係る発明について、間伐材を何層か敷きつめるとき、上下、左右の接触する部分に接着剤を塗り、またはボルトやバンドで締結し全体を一体の合板とほぼ同様のものとする。
【００１０】  このために津波により津波避難用フロートが浮上し、流され、岸壁やその他の障害物に激突した際に間伐材が衝撃を受け止め、全体の破断、沈没を阻止する力が著しく高まる。
【００１１】  また請求項４に係る発明について、間伐材を所定の位置まで何層か敷きつめた後、柱または鋼材で間伐材全体を押え、その両端をフレームに固定する。
【００１２】  これにより特に長軸方向の衝撃に対して間伐材は一体の合板に近い強度を発揮して衝撃に耐え、津波避難用フロートの破損を阻止する。
【発明の効果】
【００１３】  本発明によれば、多数の人が乗れ津波の衝撃にも耐える大型の津波避難用フロートがどの場所にも安く設置できる。
【図面の簡単な説明】
【００１４】
【図１】本発明の一実施例を示す津波避難用フロートの一部切欠断面を含む外観図である。
【図２】本発明の津波避難用フロートのフレームの内部に間伐材を敷きつめ、その上から柱などで押さえ、かつその柱の両端をフレームに固定した状態の外観図である。
【図３】津波避難用フロートのフレーム内部に敷きつめた何層かの間伐材の相互の締結を示した図である。
【発明を実施するための形態】
【実施例】
【００１５】  以下、本発明の実施の形態を図１〜図３に基づいて説明する。【００１６】  図１に、本発明の実施形態に係る一部切欠断を含む外観図を示す。
津波避難用フロート２０は横方向のフレーム１や縦方向の縦フレーム１０とそれに取りつけた板や鋼板６とその内部に取りつける各種資材より構成され、上部は手すり２のついた甲板３である。
この津波避難用フロートは一般的には海岸から少し陸地内部に設置されるので甲板にははしご４で上る。甲板が広い場合には人が乗って津波で流される場合、傾いて一方向に偏らないように仕切りの手すり５も取りつけておく。【００１７】  津波避難用フロート２０は船の船殻のようにそれで外部からの衝撃に耐えるような強固なものとする必要はなく、かいつまんで言うと全体を締結する意味合いのものである。かつ防水性も特には必要はない。
津波避難用フロート２０の内部にはまずコンクリートや鋼材７などを取り付ける。その上に間伐材８を取りつける。これは何層も敷きつめるが、その場合、それぞれの層は図３に示すように同一方向としかつ上下の層は互いに直交させ、かつ左右、上下の間伐材８は出来るかぎり接着剤１２やボルト１３、あるいはバンド１４で締結する。
１０００人乗りの津波避難用フロート２０で全長は約３０メートル、幅１５メートル、高さ４〜５メートル、内部の重りのコンクリート７の厚さは３０〜５０センチメートル、間伐材８は２〜３メートルの厚さとなる。【００１８】  間伐材８を２〜３メートルの厚さまで敷きつめた後、図２に示すようにその上に間伐材を押さえる部材９を取り付け、その両端は縦方向のフレーム１０に固定する。
間伐材８の価格は発泡プラスチック１１の数分の一の価格であり、これにより前述のように全体の衝撃を受けとめ、かつ重りの重量を担う浮力の効果を発揮し、かつ重りの位置を下げる効果がある。
間伐材８は単体で比重が０．５程度で、大きな浮力を有するので、津波避難用フロート２０の内部に海水が入っても沈む心配がない。これは船の船体に穴が開いたときのように沈むことがなく、フレーム１とその周囲の外板は防水性や衝撃に耐える強度を必要とせず、製作費は著しく安価となる。【００１９】  間伐材８を敷きつめ、間伐材を押える部材９で固定した後、発泡プラスチック１１をその上に取りつける。その厚さは１０００人乗りの場合で２〜３メートル程度である。この発泡プラスチック１１も上から押さえるように横方向のフレーム１に板や鋼板６で押さえて固定し、その上は甲板３とし、次に手すり２等も取りつける。
その他津波で沖に流された場合に必要なさまざまな船舶の装備も備えるが、ここではそれは一般的なことであり省く。【００２０】  ここでは１０００人乗りのかなり大型の津波避難用フロート２０を例に取り上げたが、小規模なものは全長６〜１０メートル、全幅３〜５メートル程度のもので、５０人程度の収容力のものも可能である。このような規模のものも人が乗った状態での安定性を計算して重りの重量、その位置、間伐材の厚さ、発泡プラスチックの厚さを決めて製作する。これらを資材がむき出しの状態で全体を梱包しておく方法も可能ではあるが、実際に使用するまでにかなり長い年月を要するのが普通であり、その間に間伐材の間に動物が住み着き、人に危害を与える危険性もあり、また発泡プラスチックは燃えやすい。そのような理由で本発明のように全体を構成するフレームをまず製作し、その中に順次資材を取りつけていくことが望ましい方法である。【００２１】  設置場所は公園の片隅などが適している。また海水浴場に置いては広い敷地が取れればよいが、それがない場合には駐車場に架台を組み、下を駐車場としその上に据えつける。公共施設に設置する場合も同様の方法で設置出来る。
高さが津波に対し不十分な建築物の場合、それが重量的に耐えることが出来る場合には屋上に設置することも可能である。
この程度の高さであれば車椅子で避難してきた人も運び込むことが可能であり、そういう点でもタワー型よりも優れている。【００２２】  本発明による津波避難用フロートは南海トラフ地震津波を想定した場合、その影響を受ける海岸線は全長が１２００キロメートルにもなる。これに対し１キロ間隔で１０００人乗りの津波避難用フロートの設置を計画した場合、一台３０００万円と仮定すると、３６０億円である。これは設置に用地買収をほとんど必要としないためで、これが実現すると巨大津波がいつ来襲してもほとんどの人は最低の命を守る場にたどり着くことができる。そういう点でも優れた方法である。
【符号の説明】
【００２３】  １  横方向のフレーム
２  手すり
３  甲板
４  はしご
５  仕切りの手すり
６  板や鋼板
７  コンクリートや鋼材
８  間伐材
９  間伐材を押さえる部材
１０  縦方向のフレーム
１１  発泡プラスチック
１２  接着剤
１３  ボルト
１４  バンド
２０  津波避難用フロート
【図１】
2017122379.tif 000003
【図２】
2017122379.tif 000004
【図３】
2017122379.tif 000005